(57)【要約】      （修正有）【課題】遊び心を刺激して、使用促進を促すことができるペットボトル装着体を提供する。【解決手段】ペットボトル装着体Ｓは、ペットボトルの開口部に装着される本体１と、本体に設けられた生物の外形又はロボットの外形を模した形態部２とを備え、本体１は、鉛筆が差し込まれる差し込み口１１と、差し込まれた鉛筆を切削するカッターとを有し、形態部２は、第１形態部２１と第２形態部２２を有し、第１形態部と第２形態部は、ともに本体に回動自在に支持され、第１形態部と第２形態部が離間し開いた時、差し込み口１１が外方に臨む。【選択図】図１
0003217963.tif 000002
【実用新案登録請求の範囲】
【請求項１】
ペットボトルの開口部に装着される本体と、
この本体に設けられた生物の外形又はロボットの外形を模した形態部とを備え、
前記本体は、鉛筆が差し込まれる差し込み口と、差し込まれた前記鉛筆を切削するカッターとを有し、
前記形態部は、第１形態部と第２形態部を有し、
前記第１形態部は、前記本体に回動自在に支持され、
前記第２形態部は、前記本体に回動自在に支持され、
前記第１形態部と前記第２形態部が離間し開いた時、前記差し込み口が外方に臨んでいる
ことを特徴とするペットボトル装着体。
【請求項２】
凸部が第２形態部に設けられ、前記凸部に当接する凹部が第１形態部に設けられ、
前記第１形態部と前記第２形態部が離間し開いた時、前記凸部が前記第２形態部の回動部位より前記第１形態部に近い側に位置し、
前記第２形態部と前記第１形態部が離間する方向に作用させると、前記凸部が前記凹部の内壁を介して前記第２形態部と前記第１形態部が離間する方向に動き、
前記第２形態部と前記第１形態部が接近する方向に作用させると、前記凸部が前記凹部の内壁を介して前記第２形態部と前記第１形態部が接近する方向に動くか、
又は、
凸部が第１形態部に設けられ、前記凸部に当接する凹部が第２形態部に設けられ、
前記第１形態部と前記第２形態部が離間し開いた時、前記凸部が前記第１形態部の回動部位より前記第２形態部に近い側に位置し、
前記第２形態部が前記第１形態部から離間する方向に作用させると、前記凸部が前記凹部の内壁を介して前記第２形態部が前記第１形態部から離間する方向に動き、
前記第２形態部が前記第１形態部から接近する方向に作用させると、前記凸部が前記凹部の内壁を介して前記第２形態部が前記第１形態部から接近する方向に動く
ことを特徴とする請求項１記載のペットボトル装着体。
【請求項３】
指又は爪の掛け部の切込みを第１形態部の端部に設けるか、又は、第２形態部の端部に設けるか、又は、前記第１形態部が前記第２形態部と接触した状態において、前記第２形態部が前記第１形態部より出っ張っているか、又は、前記第１形態部が前記第２形態部より出っ張っているか
である
ことを特徴とする請求項１又は請求項２記載のペットボトル装着体。
【請求項４】
第１形態部と第２形態部の移動により、前記第１形態部が前記第２形態部と接触して接触音を発生する
ことを特徴とする請求項１〜３のいずれかに記載のペットボトル装着体。
【請求項５】
生物が、カバ、クマ、ワニ、ペリカン、パンダ、イヌ、ペンギン、ネコ、恐竜、魚、植物の何れか一つである
ことを特徴とする請求項１〜４のいずれかに記載のペットボトル装着体。
【考案の詳細な説明】
【技術分野】
【０００１】
本考案は、ペットボトル装着体に係り、特に、遊び心を刺激して、使用促進を促すことができるペットボトル装着体に関する。
【背景技術】
【０００２】
従来、市販のペットボトルと同形のキャップに鉛筆削りを取り付け、使い終わったペットボトルを再利用するキャップ型鉛筆削りがある（特許文献１参照）。
【先行技術文献】
【特許文献】
【０００３】
【特許文献１】特開２００５−１１１９６３号公報
【考案の概要】
【考案が解決しようとする課題】
【０００４】
ところが、上記のキャップ型鉛筆削りにあっては、実用一点張りで、使用者にとっては、面白さを惹起せず、使用促進を促しづらいという問題点が生じた。
【０００５】
本考案の目的は、上記の問題点を考慮してなされたペットボトル装着体を提供することにある。
【課題を解決するための手段】
【０００６】
請求項１記載のペットボトル装着体は、ペットボトルの開口部に装着される本体と、この本体に設けられた生物の外形又はロボットの外形を模した形態部とを備え、前記本体は、鉛筆が差し込まれる差し込み口と、差し込まれた前記鉛筆を切削するカッターとを有し、前記形態部は、第１形態部と第２形態部を有し、前記第１形態部は、前記本体に回動自在に支持され、前記第２形態部は、前記本体に回動自在に支持され、前記第１形態部と前記第２形態部が離間し開いた時、前記差し込み口が外方に臨んでいるものである。
【０００７】
また、請求項２記載のペットボトル装着体は、請求項１記載のペットボトル装着体において、凸部が第２形態部に設けられ、前記凸部に当接する凹部が第１形態部に設けられ、前記第１形態部と前記第２形態部が離間し開いた時、前記凸部が前記第２形態部の回動部位より前記第１形態部に近い側に位置し、前記第２形態部と前記第１形態部が離間する方向に作用させると、前記凸部が前記凹部の内壁を介して前記第２形態部と前記第１形態部が離間する方向に動き、前記第２形態部と前記第１形態部が接近する方向に作用させると、前記凸部が前記凹部の内壁を介して前記第２形態部と前記第１形態部が接近する方向に動くか、又は、凸部が第１形態部に設けられ、前記凸部に当接する凹部が第２形態部に設けられ、前記第１形態部と前記第２形態部が離間し開いた時、前記凸部が前記第１形態部の回動部位より前記第２形態部に近い側に位置し、前記第２形態部が前記第１形態部から離間する方向に作用させると、前記凸部が前記凹部の内壁を介して前記第２形態部が前記第１形態部から離間する方向に動き、前記第２形態部が前記第１形態部から接近する方向に作用させると、前記凸部が前記凹部の内壁を介して前記第２形態部が前記第１形態部から接近する方向に動くかである。
【０００８】
また、請求項３記載のペットボトル装着体は、請求項１又は請求項２記載のペットボトル装着体において、指又は爪の掛け部の切込みを第１形態部の端部に設けるか、又は、第２形態部の端部に設けるか、又は、前記第１形態部が前記第２形態部と接触した状態において、前記第２形態部が前記第１形態部より出っ張っているか、又は、前記第１形態部が前記第２形態部より出っ張っているかである。
【０００９】
また、請求項４記載のペットボトル装着体は、請求項１〜３のいずれかに記載のペットボトル装着体において、第１形態部と第２形態部の移動により、前記第１形態部が前記第２形態部と接触して接触音を発生するものである。
【００１０】
また、請求項５記載のペットボトル装着体は、請求項１〜４のいずれかに記載のペットボトル装着体において、生物が、カバ、クマ、ワニ、ペリカン、パンダ、イヌ、ペンギン、ネコ、恐竜、魚、植物の何れか一つである。
【考案の効果】
【００１１】
請求項１記載のペットボトル装着体によれば、生物の外形又はロボットの外形を模した形態部を有した本体をペットボトルに装着して使用すれば、第１形態部は、本体に回動自在に支持され、第２形態部は、前記本体に回動自在に支持され、生物の外形又はロボットの外形を模した形態部が開いた時、差し込み口が外方に臨んだ状態で鉛筆削りとして使用でき、遊び心を刺激して、ペットボトル装着体の使用促進を促す等の優れた効果を有する。
【００１２】
また、請求項２記載のペットボトル装着体によれば、上述した請求項１記載の考案の効果に加え、凸部が第２形態部に設けられ、前記凸部に当接する凹部が第１形態部に設けられ、前記第１形態部と前記第２形態部が離間し開いた時、前記凸部が前記第２形態部の回動部位より前記第１形態部に近い側に位置し、前記第２形態部と前記第１形態部が離間する方向に作用させると、前記凸部が前記凹部の内壁を介して前記第２形態部と前記第１形態部が離間する方向に動き、前記第２形態部と前記第１形態部が接近する方向に作用させると、前記凸部が前記凹部の内壁を介して前記第２形態部と前記第１形態部が接近する方向に動くか、又は、凸部が第１形態部に設けられ、前記凸部に当接する凹部が第２形態部に設けられ、前記第１形態部と前記第２形態部が離間し開いた時、前記凸部が前記第１形態部の回動部位より前記第２形態部に近い側に位置し、前記第２形態部が前記第１形態部から離間する方向に作用させると、前記凸部が前記凹部の内壁を介して前記第２形態部が前記第１形態部から離間する方向に動き、前記第２形態部が前記第１形態部から接近する方向に作用させると、前記凸部が前記凹部の内壁を介して前記第２形態部が前記第１形態部から接近する方向に動くようにしたため、形態部を大きく開閉することができる。
【００１３】
また、請求項３記載のペットボトル装着体によれば、上述した請求項１又は請求項２記載の考案の効果に加え、指又は爪の掛け部の切込みを第１形態部の端部に設けるか、又は、第２形態部の端部に設けるか、第１形態部が第２形態部と接触した状態において、前記第２形態部が前記第１形態部より出っ張っているか、又は、前記第１形態部が前記第２形態部より出っ張っているかであるため、指又は爪の掛け部の切込み又は出っ張っている部位に指又は爪を引っ掛けて、形態部の開閉動作をし易くすることができる。
【００１４】
また、請求項４記載のペットボトル装着体によれば、上述した請求項１〜３のいずれかに記載の考案の効果に加え、第１形態部と第２形態部の移動により、前記第１形態部が前記第２形態部と接触して接触音を発生するため、遊び心をより刺激して、ペットボトル装着体の使用促進を促す等の優れた効果を有する。
【００１５】
また、請求項５記載のペットボトル装着体によれば、上述した請求項１〜４のいずれかに記載の考案の効果に加え、第１形態部は、本体に回動自在に支持され、第２形態部は、前記本体に回動自在に支持され、生物の外形又はロボットの外形を模した形態部が開いた時、差し込み口が外方に臨んで使用すると共に、生物が、カバ、クマ、ワニ、ペリカン、パンダ、イヌ、ペンギン、ネコ、恐竜、魚、植物の何れか一つであるため、遊び心を刺激して、ペットボトル装着体の使用促進を促す等の優れた効果を有する。
【図面の簡単な説明】
【００１６】
【図１】図１は、本考案の一実施例のペットボトル装着体の口を開いた状態（第１形態部と前記第２形態部が離間し開いた状態）の概略的斜視図である。
【図２】図２は、図１のペットボトル装着体の概略的正面図である。
【図３】図３は、図１のペットボトル装着体の概略的右側面図である。
【図４】図４は、図１のペットボトル装着体の概略的背面図である。
【図５】図５は、図４の５−５線による概略的断面図である。
【図６】図６は、図４の６−６線による概略的断面図である。
【図７】図７は、図６の一部を拡大して示す概略的一部拡大断面図である。
【図８】図８（ａ）（ｂ）（ｃ）は、図１の試作品のペットボトル装着体の使用状態を説明するための概略的図で、図８（ａ）は、ペットボトル装着体をペットボトルに装着する前の概略的図で、図８（ｂ）は、装着したペットボトル装着体に鉛筆を入れる前の状態の概略的図であり、図８（ｃ）は、図８（ｂ）の口を閉じた状態（第１形態部と第２形態部が接触した状態）の概略的図である。
【図９】図９は、ペットボトルに装着したペットボトル装着体に鉛筆を入れる前の状態を撮影した写真である。
【図１０】図１０は、図１の試作品のペットボトル装着体を右側面から撮影した写真である。
【図１１】図１１は、図１０の口を閉じる途中の状態を撮影した写真である。
【図１２】図１２は、図１１の口を閉じた状態を撮影した写真である。
【図１３】図１３は、図１２のペットボトル装着体から第１形態部を外した状態を撮影した写真である。
【図１４】図１４は、図１３の第１形態部の位置を変えて撮影した写真である。
【図１５】図１５は、図１０の第１形態部を取り外して正面側から撮影した写真である。
【図１６】図１６は、図１０を底面側から撮影した写真である。
【考案を実施するための形態】
【００１７】
本考案の一実施例のペットボトル装着体を図１乃至図１６を参照して説明する。
図１に示すＳはペットボトル装着体で、ペットボトル装着体Ｓは、ペットボトルＰの開口部Ｐａ［図８（ａ）］に装着される本体１と、この本体１に設けられた生物（例えば、カバ）を模した形態部２とを備えている。
本体１は、鉛筆１００が差し込まれる差し込み口１１と、差し込まれた鉛筆１００を切削するカッター１２とを有している。
【００１８】
形態部２は、第１形態部２１と第２形態部２２を有し、第１形態部２１は、本体１に回動（回動は、一方向でない両方向の円運動）自在に支持されている。
回動自在の支持は、例えば、本体１の開口部２２１、２２２に第１形態部２１に設けた突起２１１、２１２が遊嵌（遊びをもった状態に嵌めること）した構成で形成されている。
また、第２形態部２２は、本体１に回動自在に支持されている。回動自在の支持は、例えば、本体１の開口部（図示せず）に第２形態部２２に設けた突起（図示せず）が遊嵌した構成で形成されている。
そして、図１、図２及び図９に示すように、第１形態部２１と第２形態部２２が離間し開いた時、差し込み口１１が外方に臨んでいる。
【００１９】
従って、上述したペットボトル装着体Ｓによれば、本体１のねじ部Ｎ１（図５）とペットボトルＰのねじ部Ｎ２（図１６）を螺合して、ペットボトル装着体ＳをペットボトルＰに装着して使用すれば、第１形態部２１は、本体１に回動自在に支持され、第２形態部２２は、本体１に回動自在に支持され、生物を模した形態部２が開いた時、差し込み口１１が外方に臨んだ状態で鉛筆削りとして使用できるため、遊び心を刺激して、ペットボトル装着体Ｓの使用促進を促す等の優れた効果を有する。
【００２０】
なお、図１５に示すように、凸部２２３、２２４が第２形態部２２に設けられ、凸部２２３、２２４に当接する凹部２１３、２１４が第１形態部２１に設けられ、第１形態部２１と第２形態部２２が離間し開いた時、凸部２２３、２２４が第２形態部２１の回動部位２２５、２２６より第１形態部２１に近い側に位置している。そして、第２形態部２２と第１形態部２１が離間する方向［図８（ｂ）の矢印方向］に作用させると、凸部２２３、２２４が凹部２１３、２１４の内壁を介して第２形態部２２と第１形態部２１とが離間する方向に動き、逆に、第２形態部２２と第１形態部２１が接近する方向［図８（ｃ）の矢印方向］に作用させると、凸部２２３、２２４が凹部２１３、２１４の内壁を介して第２形態部２２と第１形態部２１が接近する方向に動くこととなる。その結果、形態部２を大きく開閉することができる。
【００２１】
また、第１形態部２１と第２形態部２２の移動により、第１形態部２１が第２形態部２２と接触して接触音を発生するため、遊び心をより刺激して、ペットボトル装着体Ｓの使用促進を促す等の優れた効果を有する。
なお、本実施例においては、凸部２２３、２２４を第２形態部２２に、凸部２２３、２２４に当接する凹部２１３、２１４を第１形態部２１に、それぞれ設けるようにしたが、本願考案にあっては、これに限らず、逆に、凸部を第２形態部２２に、前記凸部に係止する凹部を第１形態部２１に、それぞれ設けるようにしても良い。
【００２２】
即ち、凸部が第１形態部に設けられ、前記凸部に当接する凹部が第２形態部に設けられ、前記第１形態部と前記第２形態部が離間し開いた時、前記凸部が前記第１形態部の回動部位より前記第２形態部に近い側に位置し、前記第２形態部が前記第１形態部から離間する方向に作用させると、前記凸部が前記凹部の内壁を介して前記第２形態部が前記第１形態部から離間する方向に動き、前記第２形態部が前記第１形態部から接近する方向に作用させると、前記凸部が前記凹部の内壁を介して前記第２形態部が前記第１形態部から接近する方向に動くようにしても良い。
【００２３】
また、図１２に示すように、第１形態部２１が第２形態部２２と接触した状態において、第２形態部２２が第１形態部２１より出っ張っている。そのため、出っ張っている部位に指又は爪を引っ掛けて、第１形態部２１と第２形態部２２の開閉動作をし易くすることができる。
なお、本実施例においては、第１形態部２１が第２形態部２２と接触した状態において、第２形態部２２が第１形態部２１より出っ張っているが、本願考案にあっては、これに限らず、逆に、第１形態部２１が第２形態部２２より出っ張っているようにしても良い。
また、第１形態部２１の端部に指又は爪の掛け部の切込み２１Ａ（図１）を設けて、第１形態部２１と第２形態部２２の開閉動作をし易くすることができる。なお、図示しないが、切込み２１Ａの代わりに、第２形態部２２の端部に指又は爪の掛け部の切込みを設けても良い。
【００２４】
また、本実施例においては、形態部２を生物の外形を模した例としてカバを挙げたが、本願考案にあっては、カバに限らず、例えば、クマ、ワニ、ペリカン、パンダ、イヌ、ペンギン、ネコ、恐竜、魚、植物等、ロボットの外形を模した形態でも良い。
【符号の説明】
【００２５】
Ｓ      ペットボトル装着体
１      本体
２      形態部
１１     差し込み口
２１     第１形態部
２２     第２形態部
１００   鉛筆
【図１】
0003217963.tif 000003
【図２】
0003217963.tif 000004
【図３】
0003217963.tif 000005
【図４】
0003217963.tif 000006
【図５】
0003217963.tif 000007
【図６】
0003217963.tif 000008
【図７】
0003217963.tif 000009
【図８】
0003217963.tif 000010
【図９】
0003217963.tif 000011
【図１０】
0003217963.tif 000012
【図１１】
0003217963.tif 000013
【図１２】
0003217963.tif 000014
【図１３】
0003217963.tif 000015
【図１４】
0003217963.tif 000016
【図１５】
0003217963.tif 000017
【図１６】
0003217963.tif 000018